(57)【特許請求の範囲】
【請求項１】
貯蔵物を収納する貯蔵室と、前記貯蔵室に流入する冷気を生成する冷却器と、前記貯蔵室と連通して設けられ該冷気を前記貯蔵室に送る冷気通路と、
前記貯蔵室の内壁の背面の一部を形成するとともに、前記冷気通路の少なくとも一部を形成して、前記冷気通路内を流通する冷気による冷熱の少なくとも一部を前記貯蔵室内に放出する部材を備え、
前記貯蔵室内に隔離室を設け、
前記隔離室の背面に断熱部材を設け、
前記断熱部材は前記冷気通路の少なくとも一部を形成し、前記冷却器と前記部材との間に配置され、
前記部材は熱伝導性を有する金属から成り、左右両側に前記冷気通路から前記貯蔵室に前記冷気の少なくとも一部を流入させる開口部を有することを特徴とする冷蔵庫。
【請求項２】
前記断熱性部材は、前記隔離室を前記貯蔵室よりも低温にするために前記冷気通路から前記隔離室に前記冷気の少なくとも一部を流入させる開口部を有することを特徴とする請求項１に記載の冷蔵庫。
【請求項３】
前記部材の少なくとも一部は冷熱を蓄積する蓄冷機能を備えてなることを特徴とする請求項１または請求項２に記載の冷蔵庫。
【請求項４】
前記冷機通路に送風機を備え、該送風機の駆動により、前記送風機の前方の開口から、前記冷却器で冷却された冷気と混合するように該冷気より高温の貯蔵室内の空気を前記冷気通路内に導くことを特徴とする請求項１〜請求項３のいずれかに記載の冷蔵庫。
【請求項５】
前記開口を備えた送風機カバーを前記部材と前記断熱材の間に設け、該送風機カバーは前記送風機の前方で且つ前記隔離室より上に配置されることを特徴とする請求項４に記載の冷蔵庫。
【請求項６】
前記貯蔵室は冷蔵室と野菜室の一方または両方であり、前記貯蔵室を冷却する前記冷却器と他の貯蔵室を冷却する他の冷却器とを備えたことを特徴とする請求項１〜請求項５のいずれかに記載の冷蔵庫。
【請求項７】
前記冷却器の一面に前記部材を配するとともに、対面に前記部材を支持する突起部を設けたことを特徴とする請求項１〜請求項６のいずれかにに記載の冷蔵庫。
【請求項８】
前記突起部を前記冷気通路内の冷気の進行方向と略平行に形成したことを特徴とする請求項７に記載の冷蔵庫。
【請求項９】
前記冷気通路内に脱臭を行う脱臭部を設けたことを特徴とする請求項１〜請求項８のいずれかに記載の冷蔵庫。
【請求項１０】
前記部材を着脱自在に設けたことを特徴とする請求項１〜請求項９のいずれかに記載の冷蔵庫。
【請求項１１】
前記部材の取り外しにより、前記冷気通路の内部の少なくとも一部が露出可能になることを特徴とする請求項１０に記載の冷蔵庫。
【請求項１２】
前記部材の周辺の内箱に取付部材を設け、
前記取付部材は爪部とレバーとを備え、
前記部材は前記爪部と係合し、
前記レバーを手指で押すことにより前記部材を取り外し可能としたことを特徴とする請求項１０または請求項１１に記載の冷蔵庫。
【発明の詳細な説明】
【０００１】
【発明の属する技術分野】
本発明は冷気を貯蔵室内に送出する冷蔵庫に関する。
【０００２】
【従来の技術】
従来の冷蔵庫は図１０の縦断面図に示すように、天板１０１、側板１０２、１０３及び底板１０４に覆われて外壁が形成されている。外壁の内側には樹脂成形品から成る上面パネル１１１及び側面パネル１１２、１１３によってダクトパネル１１０が構成され、貯蔵室１２０が形成されている。側板１０２と側面パネル１１２との間には冷熱を蓄積する蓄冷部材が充填された蓄冷壁１１６が配され、支持部材１１４により支持されている。
【０００３】
側板１０３と側面パネル１１３との隙間、天板１０１と上面パネル１１１との隙間、側板１０２と蓄冷壁１１６との隙間及び、蓄冷壁１１６と側面パネル１１２との隙間は冷気が流通する冷気通路１１７、１１８になっている。天板１０１の上面には冷凍機１０５が配され、上面パネル１１１に設けられた隔壁１１５により冷気の排気及び吸気を行う排気口１０１ａ及び吸気口１０１ｂが形成されている。冷気通路１１７を通る冷気は流入口１２０ａから貯蔵室１２０に流入する。貯蔵室１２０内の冷気は流出口１２０ｂから冷気通路１１８に流出するようになっている。
【０００４】
上記構成の冷蔵庫において、冷凍機１０５が駆動されると、排気口１０１ａから冷気通路１１７に冷気が送出される。冷気通路１１７ａ、１１７ｂを進行する冷気は蓄冷壁１１６に接触し、蓄冷壁１１６内の蓄冷部材により蓄冷される。そして、流入口１２０ａから貯蔵室１２０内に冷気が流入して貯蔵室１２０内を冷却する。その後、冷気は流出口１２０ｂから冷気通路１１８を通り、吸気口１０１ｂを介して冷凍機１０５に帰還する。
【０００５】
蓄冷部材により蓄冷される冷熱は、放熱及び吸熱を行って冷気の温度変動を吸収する。これにより、貯蔵室１２０内の温度を均一に保持する。また、冷凍機１０５の停止中に冷熱を放出して貯蔵室１２０内の保冷を行うようになっている。
【０００６】
【発明が解決しようとする課題】
しかしながら、上記の従来の冷蔵庫によると、貯蔵室１２０は所定位置に設けられた流入口１２０ａから流入する冷気によって冷却される。このため、矢印Ｂのように、流入口１２０ａから流出口１２０ｂに至る空気流の近傍で温度が低くなる。例えば流入口１２０ａから流入する冷気の流速が緩やかな場合には、Ａ部のように該空気流から離れた貯蔵室１２０の上部隅部では温度が高くなる。従って、貯蔵室１２０内の温度が不均一になる問題があった。
【０００７】
また、蓄冷壁１１６の両面に冷気通路１１７ａ、１１７ｂが形成されているので貯蔵室１２０の容積が小さくなる。このため、貯蔵室１２０の必要容積を確保するために冷蔵庫本体が大型になる問題があった。
【０００８】
本発明は、貯蔵室内の温度の均一化及び省スペース化を図ることのできる冷蔵庫を提供することを目的とする。
【０００９】
【課題を解決するための手段】
上記目的を達成するために本発明の冷蔵庫は、貯蔵物を収納する貯蔵室と、前記貯蔵室に流入する冷気を生成する冷却器と、前記貯蔵室と連通して設けられ該冷気を前記貯蔵室に送る冷気通路と、前記貯蔵室の内壁の背面の一部を形成するとともに、前記冷気通路の少なくとも一部を形成して、前記冷気通路内を流通する冷気による冷熱の少なくとも一部を前記貯蔵室内に放出する部材を備え、前記貯蔵室内に温度の異なる隔離室を設け、前記隔離室の背面に断熱部材を設け、前記断熱部材は前記冷気通路の少なくとも一部を形成し、前記冷却器と前記部材との間に配置され、前記部材は熱伝導性を有する金属から成り、左右両側に前記冷気通路から前記貯蔵室に前記冷気の少なくとも一部を流入させる開口部を有することを特徴としている。
【００１０】
この構成によると、冷却器により生成される冷気は冷気通路を通って貯蔵室に流入する。冷気通路を形成する前記部材は冷気通路を通る冷気と接触し、該冷気による冷熱の一部が前記部材を介して貯蔵室内に放出される。貯蔵室は流入する冷気と前記部材の全面から一様に放出される冷熱とによって庫内が均一に冷却される。
【００１１】
また本発明は、前記断熱部材は前記隔離室を前記貯蔵室よりも低温にするために前記冷気通路から前記隔離室に前記冷気の少なくとも一部を流入させる開口部を有することを特徴としている。
【００１２】
上記各構成の冷蔵庫において、前記部材の少なくとも一部は冷熱を蓄積する蓄冷機能を備えているものとする。
【００１３】
また、上記冷蔵庫において、前記冷機通路に送風機を備え、該送風機の駆動により、前記送風機の前方の開口から、前記冷却器通過後の冷気と混合するように該冷気より高温の貯蔵室内の空気を前記冷気通路内に導くようにしている。この構成によると、冷却器により生成される冷気は貯蔵室内から冷気通路に導かれる空気と冷気通路内で混流して昇温された後、貯蔵室に流入する。また、前記開口を備えた送風機カバーを前記部材と前記断熱材の間に設け、該送風機カバーは前記送風機の前方で且つ前記隔離室より上に配置されるものである。
【００１４】
また、上記冷蔵庫において、前記貯蔵室は冷蔵室と野菜室の一方または両方であり、前記貯蔵室を冷却する前記冷却器と他の貯蔵室を冷却する他の冷却器とを備えている。
【００１５】
この構成によると、冷蔵室または野菜室を冷却するために冷却器によって生成される比較的高温の冷気は冷気通路を通って前記部材と接触し、冷蔵室または野菜室に流入する。冷蔵室または野菜室は流入する冷気と前記部材から放出される冷熱とによって冷却される。ここで、他の冷凍室等は他の冷却器により冷却される。
【００１６】
また、上記冷蔵庫において、前記冷気器の一面に前記部材が配されるとともに、対面に前記部材を支持する突起部が設けられる。
【００１７】
また、上記冷蔵庫において、前記突起部を前記冷気通路内の冷気の進行方向と略平行に形成している。この構成によると、冷気は突起部に沿って進行する。
【００１８】
また本発明は、上記構成の冷蔵庫において、前記冷気通路内に脱臭を行う脱臭部を設けたことを特徴としている。
【００１９】
また本発明は、上記構成の冷蔵庫において、前記部材を着脱自在に設けたことを特徴としている。また、前記部材の取り外しにより、前記冷気通路の内部の少なくとも一部が露出可能になることを特徴としている。この構成によると、冷気通路内の清掃等は部材を脱着して行われる。また、前記部材の周辺の内箱に取付部材を設け、前記取付部材は爪部とレバーとを備え、前記部材は前記爪部と係合し、前記レバーを手指で押すことにより前記部材を取り外し可能としたことを特徴としている。
【００２０】
【発明の実施の形態】
以下に本発明の実施形態を図面を参照して説明する。図１は第１実施形態の冷蔵庫を示す側面断面図である。冷蔵庫１は外部を覆う外箱２ａの内側に内箱２ｂが配され、外箱２ａと内箱２ｂとの隙間には発泡ウレタン等の断熱材２ｃが充填されている。冷蔵庫１の内部は上から冷蔵室１１、野菜室１２、冷凍室１３の順に区分けされている。
【００２１】
野菜室１２と冷凍室１３は断熱部材から成る仕切枠１７及び断熱部材から成る仕切板１９に仕切られており、冷凍室１３は更に断熱部材から成る仕切枠１８により上部と下部に仕切られている。冷蔵室１１と野菜室１２は断熱部材から成る仕切枠１６及び樹脂成形品から成る仕切板３１、３２によって仕切られている。仕切板３２には貫通口３２ａが設けられている。
【００２２】
冷蔵室１１の下部には仕切板４６で仕切られる隔離室である氷温室１４が設けられている。冷蔵室１１には複数の棚４５が設けられている。冷蔵室１１の前面は回動式の断熱扉３により開閉可能になっている。野菜室１２、冷凍室１３の上部及び冷凍室１３の下部は前面が夫々スライド式の断熱扉４、５、６により開閉可能になっており、収納容器５４、５５、５６を引出せるようになっている。
【００２３】
冷凍室１３の後部には圧縮機２０が配されている。圧縮機２０には吐出パイプ２０ａを介して凝縮器（不図示）が連結されており、吸込パイプ２０ｂを介して冷却器２１、２５が直列に連結されている。凝縮器と冷却器２５は第１キャピラリーチューブ（不図示）を介して連結されている。冷却器２１、２５の間には第２キャピラリーチューブ（不図示）が配されている。
【００２４】
これにより冷凍サイクルが構成され、冷凍サイクル運転が行われると冷却器２１、２５が冷却されるようになっている。冷却器２１、２５の下方には冷却器２１、２５の除霜を行う除霜ヒータ６１、６２が設けられている。６３、６４はドレン受け部材である。
【００２５】
また、凝縮器と第１キャピラリーチューブとの間には切換手段が設けられ、切換手段と冷却器２１とが第３キャピラリーチューブ（不図示）を介して連結されている。そして、切換手段を切り替えることにより、冷却器２１のみの冷却を可能にしている。
【００２６】
冷却器２１は冷気通路２３内に配されており、冷気通路２３は内箱２ｂと樹脂成形品から成るエバカバー３３とにより形成されている。冷気通路２３内の冷却器２１の上方には送風機２２が配されている。冷気通路２３は背面板３３ａに設けられた冷凍室１３への流入口１３ａ及び流出口１３ｂにより冷凍室１３と連通している。
【００２７】
冷却器２５は冷気通路２７内に配されている。冷気通路２７の下部は内箱２ｂと野菜室１２の背面板３４とにより形成されている。背面板３４は断熱部材から成り、冷却器２５に近設される野菜室１２の過冷却を防止している。冷気通路２７内の冷却器２５の上方には送風機２６が配されている。冷気通路２７は流出口１２ｂにより野菜室１２と連通している。
【００２８】
冷気通路２７の上部は氷温室１４の背面板３５に固着される断熱部材３６と内箱２ｂとにより形成されている。断熱部材３６には開口部３６ａが設けられている。冷蔵室１１の正面図を図２に示すと、背面板３５には開口部３６ａと同じ位置に開口部３５ａが設けられている。開口部３５ａ、３６ａにより冷蔵室１１は冷気通路２７と連通している。
【００２９】
冷気通路２７の上端には送風機２９が配されている。送風機２９の前面には冷蔵室１１に臨む送風機カバー４１が取り付けられている。送風機カバー４１には複数の開口部４１ａが形成されている。送風機２９の上方には冷気通路２８が設けられている。
【００３０】
送風機２９部分の詳細図を図３に示すと、冷気通路２８は送風機２９により開口部４１ａを介して冷蔵室１１から取入れられる空気と、送風機２６により冷気通路２７を流通する冷気とが混流するようになっている。
【００３１】
冷蔵室１１の背面部分の冷気通路２８は冷蔵室１１の内壁を形成する部材４２と内箱２ｂとにより形成されている。前記部材４２は図５に示すような形状の熱伝導性を有する熱伝導部材（例えば、加工性が良く防錆効果の高いアルミニウム合金やステンレス等）から形成されている。これにより蓄冷及び冷熱の放出を可能にしている。なお、前記熱伝導部材の厚みが厚い場合は蓄冷能力が上がり、強度も増加する。厚みが薄い場合は冷熱の放出効率が上がり、軽量化にも有利である。そのため、目的に応じて薄板材や厚板材を適時適所に選び設ければよい。
【００３２】
部材４２の表面に凹凸形状をプレス加工等により設けると、表面積を増加させることができる。これにより蓄冷や冷熱の放出量が増加して冷却効率の向上を図ることができる。更に、線状に連続する凹部または凸部を設けることにより、部材４２の強度を補強することができる。
【００３３】
また、部材４２の上端と下端部分の断面詳細図を図８、図９に示す。これらの図によると、部材４２は内箱２ｂに設けられたタップ板（不図示）とビス７２により内箱２ｂに固定される取付部材７１及び背面板３５に設けられた取付部３５ｂにより係止される。取付部材７１のレバー部７１ａを手指で押上げると爪部７１ｂの係合が解除される。
【００３４】
この状態で部材４２の上部を手前に倒して、上方に引上げることにより部材４２を脱着でき、部材４２は着脱自在になっている。これにより冷気通路２８や部材４２の冷気通路２８側の清掃等を容易に行うことができるようになっている。尚、部材４２の下部は断熱部材３６に固着されるシール材７３により密閉されている。
【００３５】
冷蔵室１１の天面部分の冷気通路２８は樹脂成形品から成る上面板４３と内箱２ｂにより形成されている。前記部材４２及び上面板４３には開口部４２ａ、４３ａ（図２参照）が設けられている。また、冷蔵室１１の天面中央部には透明な照明カバー５３で覆われる照明灯５１が設けられている。
【００３６】
冷蔵室１１の上面断面図を図４に示すと、前記部材４２は上下に延びて内箱２ｂに形成される突起部２８ａにより背面を支持されている。これにより、前面からの押圧力に対する前記部材４２の屈曲を防止するとともに、冷気通路２８内を通る冷気を整流して消音と送風効率の向上が図られている。また、冷気通路２８内には脱臭部５０が設けられている。脱臭部５０は活性炭等の脱臭剤から成っており、他の脱臭方法を実行できる部材や装置を配してもよい。
【００３７】
上記構成の冷蔵庫１において、送風機２２が駆動されると、冷凍室１３内の空気は流出口１３ｂから冷気通路２３に導かれる。該空気は冷却器２１と熱交換して冷却され、流入口１３ａから冷凍室１３に流入する。これにより冷凍室１３内が冷却される。
【００３８】
送風機２６、２９が駆動されると、野菜室１２内の空気は流出口１２ｂから冷気通路２７に導かれる。該空気は冷却器２５と熱交換して冷却され、開口部４１ａから冷気通路２８に導かれる冷蔵室１１内の空気と混流される。その後、冷気通路２８内を流通して開口部４２ａ、４３ａから冷蔵室１１内に流入する。また、冷気通路２８内を流通する冷気による冷熱の一部は部材４２を介して冷蔵室１１内に冷熱として放出される。これにより部材４２からの冷熱と開口部４２ａ、４３ａからの冷気とで冷蔵室１１内が効率良く均一に冷却される。
【００３９】
冷蔵室１１内の空気は棚４５の間や棚４５の前面を通り氷温室１４の下方から開口部３２ａを介して冷気通路３０を流通し、野菜室１２内の前方に流入する。更に収納容器５４の前面から下方を通り、野菜室１２内が冷却される。そして、流出口１２ｂから冷却器２５の下部に導かれて冷気が循環する。
【００４０】
温度センサー（不図示）の検知結果に基づいて圧縮機２０及び送風機２６が運転及び停止され、冷蔵室１１及び野菜室１２の温度を例えば３℃に維持するようになっている。尚、冷気通路２７内を流通する一部の冷気は開口部３５ａ、３６ａから氷温室１４に流入する。これにより、氷温室１４内をより低温に冷却し、例えば−１℃に維持できるようになっている。
【００４１】
また、冷却器２５での冷却を停止して送風機２６、２９の一方または両方を運転すると、部材４２に蓄積された冷熱により冷却通路２８を通る冷気が冷却される。該冷気によって冷蔵室１１内の冷却が行われる。送風機２６を運転する場合は、更に冷却器２５の除霜をして冷蔵室１１内の加湿を行うこともできる。
【００４２】
本実施形態によると、部材４２は冷気通路２８を通る冷気の冷熱の一部を熱伝導させて全面から冷蔵室１１内に放出する熱伝導板として機能している。従って、冷蔵室１１は広い面積から一様に放出される冷熱により均一に冷却される。
【００４３】
また、部材４２を図６に示すようなゼリー状や液状の保冷材４２ｃを包装材４２ｆ、４２ｇにより封入した蓄冷部材にしてもよい。このようにすると、部材４２は冷気通路２８内を流通する冷気の冷熱でより蓄冷され、冷蔵室１１内の温度分布に応じて冷熱として放出する。従って、冷蔵室１１が均一に冷却されるようになる。
【００４４】
更に、蓄冷部材により圧縮機２０の停止中や冷気通路２８内の冷気温度の変動に対して吸熱や放熱を行い、冷気通路２８内の冷気温度を維持することができるようになる。この時、蓄冷部材が冷蔵室１１の内壁を形成しているので冷蔵室１１のスペースを広くすることができ、冷蔵庫１の省スペース化を図ることができる。包装材４２ｃ、４２ｄを熱伝導性を有するアルミニウム合金やステンレスにするとより望ましい。
【００４５】
また、冷却器２５によって低温に生成される冷気は冷蔵室１１内の空気と混合することにより若干昇温される。これにより、部材４２に生じる結露や氷結を防止することができ、冷蔵室１１及び野菜室１２の乾燥を防止することができる。
【００４６】
そして、冷蔵室１１及び野菜室１２を冷却する冷却器２５と冷凍室１３を冷却する冷却器２１を設けることにより、冷気通路２７、２８を流通する冷気の温度を冷気通路２３内の冷気の温度より高く設定することができる。これにより、部材４２に生じる結露や氷結をより防止することができ、冷蔵室１１及び野菜室１２の乾燥を更に防止することができる。
【００４７】
また、部材４２は冷蔵室１１の背面に立設されて上下方向に延在している。このため、断熱扉３の開閉回数が多く冷蔵室１１内の温度や湿度が非常に上昇した際に、部材４２に結露して水滴が生じても貯蔵物上に直接滴下することがない。従って、貯蔵物を傷めず、良好な保存状態を維持できる。
【００４８】
この時、冷却器２５で冷却された冷気通路２８内の冷気の送風を停止すると、部材４２が冷蔵室１１内の温度に近づくとともに温度上昇により冷却室１１内が乾燥する。これにより、該水滴は部材４２や背面板３５を流下する間に一部が蒸発する。従って、再び冷蔵室１１内の湿度を上昇させることができる。さらに、前記部材４２の前方に空気流通可能な多孔性（例えば、小判穴、丸穴等）のフェンス状の防護壁を設けると、部材４２がさらに薄くできるので、冷熱の放出効果が向上し、キズ付防止や破損防止にもなる。
【００４９】
次に、図７は第２実施形態の冷蔵庫を示す断面図である。説明の便宜上図１〜図３の第１実施形態と同一の部分には同一の符号を付している。冷蔵庫１は外部を覆う外箱２ａの内側に内箱２ｂが配され、外箱２ａと内箱２ｂとの隙間には発泡ウレタン等の断熱材２ｃが充填されている。冷蔵庫１の内部は上から冷蔵室１１、野菜室１２、冷凍室１３の順に区分けされている。
【００５０】
野菜室１２と冷凍室１３は断熱部材から成る仕切枠１７及び断熱部材から成る仕切板１９に仕切られており、冷凍室１３は更に断熱部材から成る仕切枠１８により上部と下部に仕切られている。冷蔵室１１と野菜室１２は断熱部材から成る仕切枠１６及び樹脂成形品から成る仕切板３１、３２によって仕切られている。仕切板３２には貫通口３２ａが設けられている。
【００５１】
冷蔵室１１の下部には仕切板４６で仕切られる隔離室である氷温室１４が設けられている。冷蔵室１１には複数の棚４５が設けられている。冷蔵室１１の前面は回動式の断熱扉３により開閉可能になっている。野菜室１２、冷凍室１３の上部及び冷凍室１３の下部は前面が夫々スライド式の断熱扉４、５、６により開閉可能になっており、収納容器５４、５５、５６を引出せるようになっている。
【００５２】
冷凍室１３の後部には圧縮機２０が配されている。圧縮機２０には吐出パイプ２０ａを介して凝縮器（不図示）が連結されており、吸込パイプ２０ｂを介して冷却器２１が連結されている。凝縮器と冷却器２１はキャピラリーチューブ（不図示）を介して連結されている。
【００５３】
これにより冷凍サイクルが構成され、冷凍サイクル運転が行われると冷却器２１が冷却されるようになっている。冷却器２１の下方には冷却器２１の除霜を行う除霜ヒータ６２が設けられている。６４はドレン受け部材である。
【００５４】
冷却器２１は冷気通路２３内に配されており、冷気通路２３の下部は内箱２ｂと樹脂成形品から成るエバカバー３３とにより形成されている。冷気通路２３内の冷却器２１の上方には送風機２２が配されている。冷気通路２３は背面板３３ａに設けられた流入口１３ａ、１３ｃ及び流出口カバー３３ｂに設けられた流出口１３ｂにより冷凍室１３と連通している。
【００５５】
野菜室１２の背面は前述の仕切板１９に覆われており、冷気通路２３の上部の圧力室２３ａはエバカバー３３と仕切板１９とにより形成されている。断熱部材から成る仕切板１９により、冷却器２１に近設される野菜室１２の過冷却を防止している。
【００５６】
冷気通路２３は送風機２２の上方に配される冷気通路２８とダンパー６５を介して連通している。冷気通路２８の下部は氷温室１４の背面板３５に固着される断熱部材３６と内箱２ｂとにより形成されている。前述の図２と同様に、背面板３５と断熱部材３６には同じ位置に開口部３５ａ、３６ａが設けられている。開口部３５ａ、３６ａにより氷温室１４は冷気通路２８と連通している。
【００５７】
冷気通路２８の上部は冷蔵室１１の内壁を形成する部材４２と内箱２ｂとにより形成されている。部材４２は第１実施形態と同様に、アルミニウム合金やステンレス等の熱伝導性を有する部材から形成されている。
【００５８】
冷蔵室１１の天面部分の冷気通路２８は樹脂成形品から成る上面板４３と内箱２ｂにより形成されている。前記部材４２及び上面板４３には開口部４２ａ、４３ａ（図２参照）が設けられている。また、冷蔵室１１の天面中央部には透明な照明カバー５３で覆われる照明灯５１が設けられている。
【００５９】
上記構成の冷蔵庫１において、送風機２２が駆動されると、冷凍室１３内の空気は流出口１３ｂから冷気通路２３に導かれる。該空気は冷却器２１と熱交換して冷却され、流入口１３ａ、１３ｃから冷凍室１３に流入する。これにより冷凍室１３内が冷却される。
【００６０】
また、冷却器２１と熱交換した冷気はダンパー６５を介して冷却通路２８内を流通して開口部４２ａ、４３ａから冷蔵室１１内に流入する。これにより冷蔵室１１内が冷却される。また、冷気通路２８内を流通する冷気の冷熱の一部は部材４２を熱伝導して冷蔵室１１内に冷熱として放出される。これにより部材４２からの冷熱と開口部４２ａ、４３ａからの冷気により冷蔵室１１内が効率良く均一に冷却される。
【００６１】
冷蔵室１１内の空気は棚４５の間や棚４５の前面を通り氷温室１４の下方から開口部３２ａを介して冷気通路３０を流通し、野菜室１２内の前方に流入する。更に収納容器５４の前面から下方を通り、野菜室１２内が冷却される。そして、流出口（不図示）からダクト（不図示）を通り冷却器２１の下部に導かれて冷気が循環する。
【００６２】
冷蔵室１１の温度に応じてダンパー６５が開閉し、冷蔵室１１及び野菜室１２の温度を例えば３℃に維持するようになっている。尚、冷気通路２８内を流通する一部の冷気は開口部３５ａ、３６ａから氷温室１４に流入する。これにより、氷温室１４内をより低温に冷却し、例えば−１℃に維持できるようになっている。
【００６３】
本実施形態によると、第１実施形態と同様に、部材４２は冷気通路２８を通る冷気の冷熱の一部を熱伝導させて冷蔵室１１内に放出する熱伝導板として機能している。従って、冷蔵室１１は広い面積から一様に放出される冷熱により均一に冷却される。また、部材４２を前記と同様に図６に示すような蓄冷部材にしてもよい。
【００６４】
尚、本発明において、冷気通路を通る冷気による冷熱の一部が部材を介して貯蔵室内に放出されるとは、冷気通路を通る冷気の一部が部材から吸熱して該部材を冷却し、前記部材が貯蔵室内から吸熱して貯蔵室内を冷却することを意味する。
【００６５】
【発明の効果】
本発明によると、貯蔵室内に流入する冷気流と合わせ、冷気通路を通る冷気による冷熱の一部を部材を介して貯蔵室内に一様に放出するので、貯蔵室を均一に冷却することができる。そして、冷気通路を通る冷気の冷熱の一部を貯蔵室内に放出できる前記部材は金属等の熱伝導部材または蓄冷部材により簡単に形成することができる。
【００６６】
また、冷気通路を流通して貯蔵室内に流入する冷気と前記部材から放出される冷熱とによって貯蔵室内が冷却されるので、冷蔵庫の冷却効率を向上させることができる。更に、冷気通路を形成する前記部材は貯蔵室の壁面を形成して、冷気通路と貯蔵室の隔壁を形成するので、別途隔壁部材を必要とせず、省スペース化を図ることができる。
【００６７】
また本発明によると、冷却器によって低温に生成される冷気は冷気通路内で貯蔵室内の空気と混合することにより若干昇温される。これにより、前記部材の結露や氷結を防止することができ、貯蔵室の乾燥を防止して野菜等を長期間保存することができる。
【００６８】
また本発明によると、冷蔵室または野菜室を冷却する冷却器と冷凍室等の他の貯蔵室を冷却する冷却器を設けることにより、冷蔵室または野菜室を冷却する冷気の温度を高く設定することができる。これにより、前記部材の結露や氷結をより防止することができ、貯蔵室の乾燥を防止して野菜等を長期間保存することができる。
【００６９】
また本発明によると、前記部材の背面を支持する突起部を設けることで前面からの押圧力に対する屈曲を防止することができる。更に、冷気の進行方向と略平行な板状に形成することで冷気通路内を通る冷気を整流して消音と送風効率の向上を図ることができる。
【００７０】
また本発明によると、冷気通路内に脱臭を行う脱臭部を設けることで、循環する冷気の脱臭を行うことができ、冷蔵庫内の不快な臭いを防止するとともに、汚れを防止することができる。
【００７１】
また、本発明によると、前記部材が着脱自在であるため前記部材を脱着して冷気通路内や前記部材の裏面を清掃することができる。従って、冷気通路内を清潔に保ち悪臭の付着を防止できる。
【図面の簡単な説明】
【図１】本発明の第１実施形態の冷蔵庫の側面断面図である。
【図２】本発明の第１実施形態の冷蔵庫の冷蔵室の正面図である。
【図３】本発明の第１実施形態の冷蔵庫の要部詳細図である。
【図４】本発明の第１実施形態の冷蔵庫の上面断面図である。
【図５】本発明の第１実施形態の冷蔵庫の部材を示す斜視図である。
【図６】本発明の第１実施形態の冷蔵庫の他の部材を示す斜視図である。
【図７】本発明の第２実施形態の冷蔵庫の側面断面図である。
【図８】本発明の第１実施形態の冷蔵庫の部材の要部断面図である。
【図９】本発明の第１実施形態の冷蔵庫の部材の要部断面図である。
【図１０】従来の冷蔵庫の正面断面図である。
【符号の説明】
１    冷蔵庫
２ａ  外箱
２ｂ  内箱
３、４、５、６  断熱扉
１１    冷蔵室
１２    野菜室
１３    冷凍室（他の貯蔵室）
１４    氷温室
２０    圧縮機
２１、２５  冷却器
２２、２６、２９  送風機
２３、２７、２８、３０  冷気通路
２８ａ  突起部
３６    断熱部材
４２    部材
５０    脱臭部
５１    照明灯
６１、６２  除霜用ヒータ
６５    ダンパー
１０１    天板
１０２、１０３  側板
１０４    底板
１０５    冷凍機
１１０    ダクトパネル
１１６    蓄冷壁
１２０    貯蔵室
【図１】
0003611021.tif 000002
【図２】
0003611021.tif 000003
【図３】
0003611021.tif 000004
【図４】
0003611021.tif 000005
【図５】
0003611021.tif 000006
【図６】
0003611021.tif 000007
【図７】
0003611021.tif 000008
【図８】
0003611021.tif 000009
【図９】
0003611021.tif 000010
【図１０】
0003611021.tif 000011